(57)【要約】      （修正有）【課題】各チューブに空気を吹き込めばそれが膨れ上がって就寝時の姿勢に対応できる機能型空気入れベッドを提供。  【解決手段】  独立した多数本の空気入れチューブと空気入れチューブをそれぞれ挿入する多数の単穴を形成して成るベッド型巣式布覆いから構成され、ベッド型巣式布覆いの側面に開口された空気入れチューブの出入口には、出入口と同形に形成された布カバーを以て出入口の周縁と布カバーの周縁とを対応するチャックまたはボタンによって出入口を開閉自在とすることができる。【選択図】図２
0003114643.tif 000002
【実用新案登録請求の範囲】
【請求項１】
独立した多数本の空気入れチューブと該空気入れチューブをそれぞれ挿入する多数の単穴を形成して成るベッド型巣式布覆いから構成され、該空気入れチューブは、内部に整形効果を発揮する引きバンドを配するとともに、空気入れチューブに空気を吹き込むノズルを配した軟質の空気入れ袋として構成され、多数の単穴を形成した成る該ベッド型巣式布覆いは、それぞれの巣穴に挿入された空気入れチューブに空気が充分に吹き込まれると該空気入れチューブがベッド型単式布覆いの巣穴の有効空間に塞くように構成され、ベッド型巣式布覆いの側面に開口された空気入れチューブの出入口には、該出入口と同形に形成された布カバーを以て該出入口の周縁と布カバーの周縁とを対応するチャックまたはボタンによって該出入口を開閉自在とすることができる構成としたことを特徴とする機能型空気入れベッド。
【請求項２】
ベッド型巣式布覆いの側面に開口された空気入れチューブの出入口には各空気入れチューブに空気を吹き込む一組の圧力制御バルブと空気入れポンプが設けられた構造としたことを特徴とする請求項１に記載した機能型空気入りベッド。
【請求項３】
空気入れチューブは四角形の管状に構成され、かつベッド型布覆いの巣穴によって横方向の単層または多層の組み合わせることができる構造としたことを特徴とする請求項１に記載した機能型空気入れベッド。
【請求項４】
空気入れチューブは長方形の管状に構成され、かつベッド型布覆いの巣穴によって横方向の単層または多層の組み合わせに現れ、単層、多層または高層式に構成することができる構造としたことを特徴とする請求項１に記載した機能型空気入れベッド。
【請求項５】
空気入れチューブは斜面または円弧面のある管状に構成されて背もたれまたは枕として組み合わされることができる構造としたことを特徴とする請求項１に記載した機能型空気入れベッド。
【請求項６】
空気入れチューブの内部に設けられてある引きバンドは対角式引きバンド、または一本以上の対称に配された引きバンドとして配され、該空気入れチューブを四角形、長方形、斜面または円弧面のある管状の空気入れチューブとして構成できる構造としたことを特徴とする請求項１に記載した機能型空気入れベッド。
【考案の詳細な説明】
【技術分野】
【０００１】
本考案は機能型空気入れベッドの構造に関するものである。
【背景技術】
【０００２】
空気入れベッドまたは空気入れマットレスは従来から使われ、かつずっと消費者に喜ばれ愛用されている。図１に示す如く、それの基本構造は：従来の空気入れベッド（A1）の内部は完全に密閉された大気室（A11）に等しく、その大気室（A11）の内部には縦、横方向に排列するベッド面及びベッド底面を引き寄せる引き環（A2）と側辺の縦、横方向に位置し、ベッドの側辺を引き寄せ及び補強する引きバンド（A3）の構造が設置されてある。この引き環（A2）と引きバンド（A3）の構造が行うベッド底面とベッド面を引き寄せる強制的作用力は空気入れベッド（A1）に空気が充分打ち込まれた後、均等な膨張作用によって球状の自然形態になることなく、常に必要な四角い扁平状ベッドの態様を保持しているが、これは従来の空気入れベッド（A1）の基本的構成と原理である。
従来の空気入れベッド（A1）の形体、構成と基本原理を了解すれば、従来の空気入れベッド（A1）の単一大気室（A11）構造はベッド全体の均衡性支え力の不足と側辺内圧の不均一により、空気入れベッド（A1）の側辺に圧力がかかると凹んでしまう問題が必ず発生することがわかる。それと同時に、ベッド面の圧力を受ける影響が違うことから凹陥する不良な現象が発生し、これら現象は使用者に対して言えばベッドのあるべく平坦さと心地良さを失うことである。したがって、空気入れベッドを更に進んで伝統的寝具の代替にしようとする場合はそれを改善しなければならなく、かつこの問題は従来の空気入れベッドの長くから克服しにくい、最も厳重な欠点でもある。
次に、従来の空気入れベッド（A1）は単一の大気室（A11）をもって内部のの圧力を保っており、力学の観点から言えば、ベッドが大きいほど圧力を受ける均衡性はますます悪くなり、人体工学の面から言えば、横たわった人間の体が必要とする軟らかい部分と硬い部分の調整は必ず寝る姿勢の優、劣に関係する。従来の空気入れベッド（A1）にはこのような調整機能がまったくないので、従来の空気入れベッド（A1）から導くよくない寝る姿勢は必ず使用者の健康に影響を与え、これは従来の空気入れベッドの長くからのもう一つの重大問題である。
【考案の開示】
【考案が解決しようとする課題】
【０００３】
本案の設計目的による主旨は多数本の「空気入れチューブ」を「巣式布覆い」に設けられてある各巣穴に配置し、各チューブに空気を吹き込めばそれが膨れ上がって就寝時の姿勢に対応できる機能型空気入れベッドに成型されるものを提供しようとするものである。
【課題を解決するための手段】
【０００４】
請求項１に記載した発明は、独立した多数本の空気入れチューブと該空気入れチューブをそれぞれ挿入する多数の単穴を形成して成るベッド型巣式布覆いから構成され、該空気入れチューブは、内部に整形効果を発揮する引きバンドを配するとともに、空気入れチューブに空気を吹き込むノズルを配した軟質の空気入れ袋として構成され、多数の単穴を形成した成る該ベッド型巣式布覆いは、それぞれの巣穴に挿入された空気入れチューブに空気が充分に吹き込まれると該空気入れチューブがベッド型単式布覆いの巣穴の有効空間に塞くように構成され、ベッド型巣式布覆いの側面に開口された空気入れチューブの出入口には、該出入口と同形に形成された布カバーを以て該出入口の周縁と布カバーの周縁とを対応するチャックまたはボタンによって該出入口を開閉自在とすることができる構成としたことを特徴とする機能型空気入れベッドと言うものである。
【０００５】
請求項２に記載した発明は、上記ベッドの構成材であるベッド型巣式布覆いの側面に開口された空気入れチューブの出入口には各空気入れチューブに空気を吹き込む一組の圧力制御バルブと空気入れポンプが設けられた構造としたことを特徴とする請求項１に記載した機能型空気入りベッドと言うものである。
【０００６】
請求項３に記載した発明は、空気入れチューブは四角形の管状に構成され、かつベッド型布覆いの巣穴によって横方向の単層または多層の組み合わせることができる構造としたことを特徴とする請求項１に記載した機能型空気入れベッドと言うものである。
【０００７】
請求項４に記載した発明は、空気入れチューブは長方形の管状に構成され、かつベッド型布覆いの巣穴によって横方向の単層または多層の組み合わせに現れ、単層、多層または高層式に構成することができる構造としたことを特徴とする請求項１に記載した機能型空気入れベッドと言うものである。
【０００８】
請求項５に記載した発明は、空気入れチューブは斜面または円弧面のある管状に構成されて背もたれまたは枕として組み合わされることができる構造としたことを特徴とする請求項１に記載した機能型空気入れベッドと言うものである。
【０００９】
請求項６に記載した発明は、空気入れチューブの内部に設けられてある引きバンドは対角式引きバンド、または一本以上の対称に配された引きバンドとして配され、該空気入れチューブを四角形、長方形、斜面または円弧面のある管状の空気入れチューブとして構成できる構造としたことを特徴とする請求項１に記載した機能型空気入れベッドと言うものである。
【考案の効果】
【００１０】
本考案は巣式空気入れマットレスとしての機能型ベッドを提供するもので、特に多数本の「空気入れチューブ」を「巣式布覆い」に配置して特別な組み合わせ式空気入れベッド構造の設計案を指したものである。それの主要理念は独立したチューブ式空気入れチューブをそれぞれベッド型巣式布覆いに設けられてある各巣穴に配置し、空気を吹き込むことによって膨れ上がってベッドの構造態様に成型し、従来の空気入れベッド構造の局限を突破するものである。この理念の運用によって本考案の空気入れベッドには指定個所の空気圧調整機能を持つことができ、それによって従来の空気入れベッドは違った適位性の硬、軟を兼ねた効果を得ることができる。それと同時に、機能型空気入れベッドは我々のニーズによって各チューブ式空気入れチューブを調整することができ、均衡で強固な支え力と使い心地のいい受ける力を発揮することができ、伝統的空気入れベッドの単一気室だけのある構造を革新することである。
【実施例１】
【００１１】
先ず図２、図３に示す如く、本考案の空気入れベッド（1）の主要は多数本の空気入れチューブ（11）とベッド型巣式布覆い（12）から構成される。その中、空気入れチューブ（11）は軟質の空気入れ袋で、巣式布覆い（12）に設けられてある巣穴（121）に配置され、かつ各空気入れチューブ（11）には独立した空気入れ及び空気を漏らすノズル（111）があり、独立に空気を打ち込みまたは空気を漏れ出すことができる。実施に於いて、ベッド型巣式布覆い（12）の側面方向に一組の圧力制御バルブ（2）と空気入れポンプ（3）を付け加え、それを各空気入れチューブ（11）の専属に配置されてあるホース（112）で連結すれば、各空気入れチューブ（11）には円滑かつ機動性のある空気を入れるまたは空気を漏らす調節効果を持つことができる。
図３に示す如く、空気入れチューブ（11）がベッド型巣式布覆い（12）に設けられてある各巣穴（121）に配置され、空気が充分打ち込まれるとそれは布覆い巣穴（121）の有効空間に完全に塞ぎこみ、並びに巣穴（121）の有効空間の形態によって空気入れチューブ（11）と空気入れチューブ（11）の間には連結と緊密性のあるけん制作用を形成し、それによってベッド全体は均衡及び強固な支え力と理想で心地の良い受ける力があるようになる。また、巣式布覆い（12）の側面方向に位置する空気入れチューブ（11）の出入端の面には別に美化性の布カバー（122）が設けられ、この布カバー（122）と布覆い（12）の出入端の周縁は対応するチャック（123）またはボタンによって封することができ、かつ貫通孔（122A）によって各空気入れチューブ（11）に専属配置されたホース（112）を引き出し、前述圧力制御バルブ（2）と空気入れポンプ（3）に連結すればよい。
続いて図４に示す如く、前述空気入れチューブ（11）は四角形の管状に現れ、それの内部には対角の引きバンド（113）が設けられ、この引きバンド（113）によって空気入れチューブ（11）は自身の引っ張りと整形効果を形成し、空気入れチューブ（11）は具体的な四角形の管状に現れ、巣式布覆い（12）の角型巣穴（121）に適宜に配置される。
続いて図５に示す如く、本案の別の実施例を図５に示す。それに示すのは重ね式（すなわち多層式）空気入れベッドの構造で、それは同じく空気入れチューブ（11）とベッド型巣式布覆い（12）を運用し、互いに配置してなったものである。ただ、その中の空気入れチューブ（11）は長方形の管状に現れ、かつ布覆い巣穴によって重ね合い方式のベッドに組み合わせられる。その長方形管状の空気入れチューブ（11）の内部には縦方向の引きバンド（113）が設けられ、この引きバンド（113）によって空気入れチューブ（11）は自身の引っ張りと整形効果を形成し、空気入れチューブ（11）は具体的な長方形の管状に現れ、巣式布覆い（12）の長方形巣穴（121）に適宜に配置される。図６に示す如くである。
更に続いて図７に示すように、本案のもう一つの実施例であり、それに示すのは高層式空気入れベッド（1）の構造で、それは同じく空気入れチューブ（11）とベッド型巣式布覆い（12）を運用し、互いに配置してなったものである。ただ、その中の空気入れチューブ（11）は立式長方形の管状に現れ、かつ布覆い巣穴（121）によって横方向一列にベッドに組み合わせられる。その立式長方形管状の空気入れチューブ（11）の内部には一本以上の横方向に対称する引きバンド（113）が設けられ、この引きバンド（113）によって空気入れチューブ（11）は自身の引っ張りと整形効果を形成し、空気入れチューブ（11）は具体的な長方形の管状に現れ、巣式布覆い（12）の立式長方形巣穴（121）に適宜に配置される。図８に示す如くである。
【図面の簡単な説明】
【００１２】
【図１】従来の空気入れベッドの外観及び局部断面構造意表図である。
【図２】本考案の最適実施例の立体外観意表図である。
【図３】本考案の各部構造の分解及び展開意表図である。
【図４】本考案の空気入れチューブの断面構造意表図である（四角い管状に現れる）。
【図５】本考案の別の実施例の立体外観意表図である。
【図６】図５の空気入れチューブの局部断面構造意表図である。
【図７】本考案の更に一つの実施例の立体外観意表図である。
【図８】図７の空気入れチューブの局部断面構造意表図である。
【符号の説明】
【００１３】
１        空気入れベッド
１１      空気入れチューブ
１１１    ノズル
１１２    ホース
１１３    引きバンド
１２      布覆い
１２１    巣穴
１２２    布カバー（122）
１２２Ａ  貫通孔
１２３    チャック
２        前述圧力制御バルブ
３        空気入れポンプ
【図１】
0003114643.tif 000003
【図２】
0003114643.tif 000004
【図３】
0003114643.tif 000005
【図４】
0003114643.tif 000006
【図５】
0003114643.tif 000007
【図６】
0003114643.tif 000008
【図７】
0003114643.tif 000009
【図８】
0003114643.tif 000010